(57)【要約】【課題】  冷却装置の冷媒を循環させる配管を取り外し不能に接続することによって、冷媒の漏れを抑制することができる飲料提供装置を提供する。【解決手段】  氷を製造する製氷機２と、飲料用の水を冷却する冷却水４１を貯留する冷却水槽４と、前記製氷機２と前記冷却水槽４とに冷媒を供給する冷却装置５と、前記製氷機２と前記冷却水槽４と前記冷却装置５との間で前記冷媒を循環させる冷媒配管６と、を含んで構成される飲料提供装置であって、前記製氷機２と前記冷却水槽４と前記冷却装置５と前記冷媒配管６とが取り外し不能に接続されたものである。【選択図】図１
2014016087.tif 000002
【特許請求の範囲】
【請求項１】
氷を製造する製氷機と、
飲料用の水を冷却する冷却水を貯留する冷却水槽と、
前記製氷機と前記冷却水槽とに冷媒を供給する冷却装置と、
前記製氷機と前記冷却水槽と前記冷却装置との間で前記冷媒を循環させる冷媒配管と、
を含んで構成される飲料提供装置であって、
前記製氷機と前記冷却水槽と前記冷却装置と前記冷媒配管とが取り外し不能に接続されたことを特徴とする飲料提供装置。
【請求項２】
前記冷却装置は、冷媒として二酸化炭素を使用することを特徴とする請求項１に記載の飲料提供装置。
【請求項３】
前記製氷機と前記冷却水槽と前記冷却装置とは、フレームに固定されて一体とされたことを特徴とする請求項１又は２に記載の飲料提供装置。
【請求項４】
前記製氷機は、前記フレームの上方の位置と前記上方の位置よりも低い位置との間で位置を変更可能なように固定されたことを特徴とする請求項３に記載の飲料提供装置。
【請求項５】
前記製氷機が固定された前記フレームの部分は、前記フレームの他の部分に垂直方向に回動可能に取付けられたことを特徴とする請求項４に記載の飲料提供装置。
【請求項６】
前記製氷機が固定された前記フレームの部分は、前記フレームの他の部分に垂直方向に昇降可能に取付けられたことを特徴とする請求項４に記載の飲料提供装置。
【請求項７】
前記フレームの下端に移動用の車輪又はころを備えたことを特徴とする請求項３〜６のいずれか１項に記載の飲料提供装置。
【請求項８】
前記冷媒配管は、前記製氷機、前記冷却水槽及び前記冷却装置と、溶接により接続されたことを特徴とする請求項１〜７のいずれか１項に記載の飲料提供装置。
【請求項９】
前記製氷機、前記冷却水槽及び前記冷却装置は、垂直方向に上側から順に配置されたことを特徴とする請求項１〜８のいずれか１項に記載の飲料提供装置。
【請求項１０】
飲料用のシロップを貯留するシロップ貯留部を備えたことを特徴とする請求項１〜９のいずれか１項に記載の飲料提供装置。
【発明の詳細な説明】
【技術分野】
【０００１】
本発明は、冷却装置により冷却された飲料を提供する飲料提供装置に関し、詳しくは、冷却装置の冷媒を循環させる配管を取り外し不能に接続することによって、冷媒の漏れを抑制することができる飲料提供装置に係るものである。
【背景技術】
【０００２】
従来の飲料提供装置として、製氷機と、冷却水槽と、冷凍サイクルを行なう冷却装置と、を備え、前記製氷機又は冷却水槽の一方に対して冷媒を循環して冷凍サイクルを実行する第１の冷媒回路と、前記製氷機又は冷却水槽の他方を着脱可能な結合部を有し、当該製氷機又は冷却水槽の他方に対して不凍液冷媒を循環する第２の冷媒回路と、前記第１の冷媒回路を循環する冷媒と前記第２の冷媒回路を循環する不凍液冷媒との間で熱交換をする熱交換器と、を設けたものがあった（例えば特許文献１参照）。
【先行技術文献】
【特許文献】
【０００３】
【特許文献１】特開２００３−２７２０４４号公報
【発明の概要】
【発明が解決しようとする課題】
【０００４】
しかし、前記従来の飲料提供装置においては、前記冷却装置の冷媒を循環させる配管がクイックカップリング等の継ぎ手により取り外し可能に接続されていたため、この継ぎ手による接続シール部分から冷媒が漏れるおそれがあった。
【０００５】
そこで、このような問題点に対処し、本発明が解決しようとする課題は、冷却装置の冷媒の漏れを防止することができる飲料提供装置を提供することにある。
【課題を解決するための手段】
【０００６】
前記課題を解決するために、本発明による飲料提供装置は、氷を製造する製氷機と、飲料用の水を冷却する冷却水を貯留する冷却水槽と、前記製氷機と前記冷却水槽とに冷媒を供給する冷却装置と、前記製氷機と前記冷却水槽と前記冷却装置との間で前記冷媒を循環させる冷媒配管と、を含んで構成される飲料提供装置であって、前記製氷機と前記冷却水槽と前記冷却装置と前記冷媒配管とが取り外し不能に接続されたものである。
【発明の効果】
【０００７】
本発明による飲料提供装置によれば、冷却装置の冷媒を循環させる配管が取り外し不能に接続され、配管に継ぎ手による接続部分が存在しないため、冷媒の漏れを防止することができる。
【図面の簡単な説明】
【０００８】
【図１】本発明による飲料提供装置の実施形態を示す側面図である。
【図２】前記飲料提供装置を示すブロック図である。
【図３】前記飲料提供装置の斜視図であり、（ａ）は全体、（ｂ）は一部を拡大して示す。
【図４】前記飲料提供装置の製氷機を倒した状態を示す斜視図である。
【発明を実施するための形態】
【０００９】
以下、本発明の実施形態を添付図面に基づいて詳細に説明する。
図１は本発明による飲料提供装置の実施形態を示す側面図である。この飲料提供装置は、冷却された飲料をカップ等で提供するもので、フレーム１と、製氷機２と、シロップ貯留部３と、冷却水槽４と、冷却装置５と、冷媒配管６と、を備える。
【００１０】
前記フレーム１は、上記製氷機２と、シロップ貯留部３と、冷却水槽４と、冷却装置５とが固定され、これらを１つのユニットとして一体に形成するためのものであって、略直方体形状に形成されている。このフレーム１は、垂直方向の骨組みを形成する４本の支柱１１と、頂部に取り付けられた天板１２と、この天板１２の下方に取り付けられた第１仕切り板１３と、この第１仕切り板１３の下方に取り付けられた第２仕切り板１４と、底部に取り付けられた底板１５とを備えている。前記４本の支柱１１と、天板１２と、第１仕切り板１３と、第２仕切り板１４と、底板１５とは、金属やプラスチックにより形成されており、それぞれ異なる素材により形成されてもよい。
【００１１】
前記底板１５は、フレーム１の正面側部分、すなわち図１の右側部分の少なくとも一部に開口部１６が設けられており、後述する凝縮器５２による冷媒の冷却のための外気の吸気口となっている。また、底板１５の下面、すなわちフレーム１の下端には、フレーム１の移動を容易にするための車輪１７が取り付けられている。車輪１７のかわりにころが取り付けられてもよい。
【００１２】
前記天板１２は、４本の支柱１１の頂部（本発明における製氷機２が固定されたフレーム１の他の部分）に、その一辺を回動軸Ａとして垂直方向に約９０度まで回動可能に取付けられている。図３（ａ）に示すように、天板１２の回動軸Ａは、段付きネジ１８により形成することでき、天板１２の回動軸Ａと対向する辺は、支柱１１の頂部にネジ１９により固定することができる。図３（ｂ）に示すように、天板１２の回動軸Ａと対向する辺を下方から支持するストッパー２０が設けられてもよい。なお、図３において、第１仕切り板１３、シロップ貯留部３、製氷機２に接続された冷媒配管６ａ，６ｄ及び給水配管７２は省略されている。
【００１３】
前記天板１２上には、製氷機２が取り付けられている。この製氷機２は、飲料に投入される氷を製造するオーガ式製氷機であって、フレーム１の上方の位置（図１，３に示すような、飲料提供装置の使用時における位置）とこの上方の位置よりも低い位置（図４に示すような、飲料提供装置の運搬時における位置）との間で位置を変更可能なように、前記天板１２（本発明における製氷機２が固定されたフレーム１の部分）にボルトや接着剤により固定されている。具体的には、製氷機２は可倒式であり、図４に示すように、天板１２のネジ１９及びストッパー２０を取り外すことにより、天板１２とともに垂直方向に回動させて横倒しの状態とし、製氷機２の位置をフレーム１に対して垂直方向に低くすることができる。横倒しにした製氷機２は、ネジ１９により固定したり、２本の支柱１１の間に渡した梁により支持することができる。図４に示すように、製氷機２を横倒しにする場合には、第１仕切り板１３及びシロップ貯留部３は取り除かれる。また、冷媒配管６ａ，６ｄ及び給水配管７２は、例えば銅製であり、製氷機２を横倒しにした状態でも製氷機２と接続を維持できるように、柔軟性や長さの余裕をもつのが好ましい。なお、図４において、冷媒配管６ａ，６ｄ及び給水配管７２は省略されている。この製氷機２は、貯氷部２１と、製氷部２２とを備える。
【００１４】
前記貯氷部２１は、製氷部２２で製造された所定量の氷を貯蔵するものであり、貯蔵した氷を搬出するための氷搬出口（図示省略）が形成されている。貯氷部２１は、氷搬出指示に基づいて氷搬出口を開き、貯蔵した氷を提供する。貯氷部２１には、貯氷部２１に貯蔵された氷の量を、貯蔵された氷の高さによって検知する氷量センサ（図示省略）が設けられている。この氷量センサは、貯氷部２１に貯蔵された氷の貯蔵量（高さ）が所定値未満の場合ＯＮになり、所定値以上の場合ＯＦＦになる。
【００１５】
貯氷部２１の下部には、製氷部２２が設けられている。この製氷部２２は、水源７から供給された水と冷媒との間で熱交換することにより、水を冷却して製氷するための熱交換器であり、図２に示すように、冷媒を循環させる冷媒配管６ａ，６ｄと、水源７からポンプ７１により水を供給するための給水配管７２と、が接続されている。水源７から給水配管７２を通って製氷部２２に供給された水は、冷媒配管６ａから供給された冷媒により冷却され、製氷部２２の内壁面に着氷し、製氷機２２に内蔵されたオーガの回転により掻き上げられて貯氷部２１に送られる。製氷部２２と冷媒配管６ａ，６ｄとは、溶接により取り外し不能に接続されているため、前記製氷部２２と冷媒配管６ａ，６ｄとの接続部での冷媒の漏れを防止することができる。なお、製氷部２２と冷媒配管６ａ，６ｄとの接続は、取り外し不能な方法により行われればよく、例えば接着剤により接続されてもよい。
【００１６】
図１に示すように、この製氷機２が取り付けられた天板１２と前記第１仕切り板１３との間には、シロップ貯留部３が配置されている。このシロップ貯留部３は、例えばバッグインボックスタイプの容器に飲料用のシロップを貯留したものであって、例えばオレンジジュースやリンゴジュース等の飲料用シロップが内部に貯留される。バッグインボックスタイプのシロップ貯留部３は、前記第１仕切り板１３上に１つ又は複数載置されており、図２に示すように、ポンプ３１によって飲料にシロップを供給するためのシロップ配管３２が接続されている。このシロップ配管３２の一部３２ａは、後述する冷却水槽４の冷却水４１に漬るように配置されており、シロップはシロップ配管３２のうち冷却水４１に漬かった部分３２ａを通過する際に冷却される。したがって、飲料に冷却された状態のシロップを提供することができる。なお、シロップ貯留部３は、第１仕切り板１３に限らず、支柱１１や天板１２の下面に取り付けられてもよい。
【００１７】
図１に示すように、このシロップ貯留部３が載置された第１仕切り板１３と前記第２仕切り板１４との間には、冷却水槽４が取り付けられている。この冷却水槽４は、図２に示すように、飲料用の水を冷却する冷却水４１を貯留するものであって、第２仕切り板１４にボルトや接着剤により固定されており、内部に蒸発器４２を備える。この蒸発器４２は、冷却水槽４に貯留された冷却水４１と冷媒との間で熱交換することにより冷却水４１を冷却するための熱交換器であり、少なくとも一部が冷却水４１に漬るように配置されている。この蒸発器４２は、冷媒を循環させる冷媒配管６ｂ，６ｅと接続されており、冷媒配管６ｂから冷媒を供給される。蒸発器４２と冷媒配管６ｂ，６ｅとは、溶接により取り外し不能に接続されており、接続部での冷媒の漏れを防止することができる。また、冷却水槽４には、蒸発器４２の周囲に着氷した氷の量を、着氷した氷の厚さによって検知するアイスバンクセンサ（図示省略）が設けられている。このアイスバンクセンサは、蒸発器４２に着氷した氷の量（厚さ）が所定値未満の場合ＯＮになり、所定値以上の場合ＯＦＦになる。
【００１８】
この冷却水槽４に貯留された冷却水４１には、ポンプ７１により水源７から飲料用の水を供給するための給水配管７２の一部７２ａが漬るように配置されている。したがって、飲料水は給水配管７２のうち冷却水４１に漬かった部分７２ａを通過する際に冷却されるため、冷却された状態の飲料水を提供することができる。この冷却水槽４には、飲料水に炭酸を加えるカーボネータ（図示省略）が設けられてもよい。このカーボネータを設けることにより、飲料供給装置は、炭酸水を供給することができる。
【００１９】
なお、前記蒸発器４２と前記冷媒配管６ｂ，６ｅとの接続は、取り外し不能な方法により行われればよく、例えば接着剤により接続されてもよい。また、前記冷却水槽４は、第２仕切り板１４に限らず、支柱１１や第１仕切り板１３の下面に取り付けられてもよい。
【００２０】
図１に示すように、この冷却水槽４が取り付けられた第２仕切り板１４と底板１５との間には、冷却装置５が取り付けられている。この冷却装置５は、前記製氷機２と前記冷却水槽４とに冷媒を供給するものであって、前記底板１５にボルトや接着剤により固定された圧縮機（コンプレッサ）５１と凝縮器（コンデンサ）５２とを備える。冷却装置５は、冷媒として、二酸化炭素（ＣＯ２）を使用する。二酸化炭素は、従来使用されていた冷媒、例えば、Ｒ１３４ａやＲ４１０Ａ等の代替フロンと比較して、冷媒を圧縮した際の圧力が高いが、地球温暖化への影響が小さいため、冷媒として二酸化炭素を使用することにより、環境負荷の小さい冷却装置５を製造することができる。なお、冷媒として、ハイドロカーボン（ＨＣ）や空気を使用してもよい。
【００２１】
前記圧縮機５１は、冷媒を圧縮するものであって、図２に示すように、圧縮した冷媒を凝縮器５２へ供給する冷媒配管６ｃと、製氷部２２及び蒸発器４２を通過した冷媒が循環して戻ってくる冷媒配管６ｄ，６ｅと、溶接により取り外し不能に接続されている。したがって、圧縮機５１と冷媒配管６ｃ〜６ｅとの接続部での冷媒の漏れを防止することができる。
【００２２】
前記凝縮器５２は、圧縮機５１により圧縮され高温となった冷媒を、外気と熱交換することにより冷却するものであって、図２に示すように、冷却した冷媒を製氷部２２及び蒸発器４２へ供給する冷媒配管６ａ，６ｂと、前記圧縮機５１により圧縮された冷媒を供給される冷媒配管６ｃと、溶接により取り外し不能に接続されている。したがって、凝縮器５２と冷媒配管６ａ，６ｂ，６ｃとの接続部での冷媒の漏れを防止することができる。この凝縮器５２は、図１に示すように、冷媒を冷却するための外気を電動ファン５３により吸気する。電動ファン５３が吸気するフレーム１の正面側部分の底板１５の少なくとも一部には開口部１６が設けられているため、電動ファン５３は効率的に吸気を行うことができる。
【００２３】
なお、圧縮機５１及び凝縮器５２と、前記冷媒配管６ａ〜６ｅとの接続は、取り外し不能な方法により行われればよく、例えば接着剤により接続されてもよい。また、冷却装置５は、底板１５に限らず、支柱１１や第２仕切り板１４の下面に取り付けられてもよい。
【００２４】
前記冷媒配管６は、製氷機２と冷却水槽４と冷却装置５との間で冷媒を循環させるものであって、凝縮器５２から製氷部２２及び蒸発器４２へ冷媒を供給する冷媒配管６ａ，６ｂと、製氷部２２及び蒸発器４２から圧縮機５１へ冷媒が戻ってくる冷媒配管６ｄ，６ｅと、圧縮機５１から凝縮器５２へ冷媒が供給される冷媒配管６ｃとからなる。この冷媒配管６は、１本の管状部材又は溶接により取り外し不能に接続された複数の管状部材からなる。したがって、この冷媒配管６には、継ぎ手による接続部分が存在しないため、冷媒の漏れを防止することができる。特に、二酸化炭素のように、圧縮機５１で圧縮した際の圧力が代替フロンに比べて高い冷媒を使用する場合であっても、冷媒の漏れを防止することができる。また、製氷機２と冷却水槽４と冷却装置５との接続部や、配管の途中に継ぎ手を必要としないことから、飲料提供装置を安価に製造することができる。なお、冷媒配管６ａ及び冷媒配管６ｂ、並びに冷媒配管６ｄ及び冷媒配管６ｅとは、図２に示すように、その一部が共通した配管として形成されてもよいし、別々の配管として形成されてもよい。
【００２５】
図２に示すように、冷媒配管６ａ，６ｂには、電磁弁６１と、膨張弁６２とが設けられている。前記電磁弁６１は、凝縮器５２から製氷部２２及び蒸発器４２へ供給される冷媒の量を調節するものであって、製氷機２や冷却水槽４内の温度等のパラメータに応じて開度（開口度）が制御される。この電磁弁６１は、凝縮器５２から製氷部２２及び蒸発器４２へ供給される冷媒の量を調節可能なものであればよく、電磁三方弁や二方弁を使用すればよい。また、前記膨張弁６２は、凝縮器５２から供給される冷媒を減圧し、膨張させるものであって、製氷部２２及び蒸発器４２の手前にそれぞれ設けられている。膨張弁６２として、例えば、キャピラリチューブを使用してもよい。
【００２６】
次に、このように構成された飲料提供装置の動作について、図１，２を参照して説明する。
この飲料提供装置において、冷却装置５、膨張弁６２、製氷部２２、蒸発器４２及びこれらを接続する冷媒配管６により、貯氷部２１及び冷却水槽４内の氷の量に応じて冷凍サイクルが行われている。具体的には、氷量センサ又はアイスバンクセンサの少なくとも一方がＯＮの場合、圧縮機５１が稼動して冷凍サイクルが行われ、氷量センサ及びアイスバンクセンサの両方がＯＦＦの場合、圧縮機５１は停止して冷凍サイクルが中止される。そして、冷凍サイクルが行われる場合、氷量センサがＯＮであれば、電磁弁６１の冷媒配管６ａ側が開弁され、アイスバンクセンサがＯＮであれば、電磁弁６１の冷媒配管６ｂ側が開弁され、氷量センサ及びアイスバンクセンサの両方がＯＮであれば、電磁弁６１の冷媒配管６ａ側及び６ｂ側の両方が開弁される。冷凍サイクルが行われない場合には、電磁弁６１は、冷媒配管６ａ側及び６ｂ側がともに閉弁している。これにより、貯氷部２１に所定量の氷を貯蔵し、飲料に氷を確実に提供することができる。また、冷却水槽４に所定量の氷を貯蔵し、冷却水４１を所定の温度に保つことができる。
【００２７】
この飲料提供装置が飲料を提供する際、図２に示すように、製氷機２は貯氷部２１内部に貯蔵された氷を飲料提供用のカップ８へ投入する。また、飲料水は水源７からポンプ７１により汲み上げられ、給水配管７２を通じて前記カップ８に供給される。この飲料水は、給水配管７２のうち冷却水４１に漬かった部分７２ａを通過するときに冷却される。そして、提供する飲料に応じたシロップが、シロップ貯留部３からポンプ３１により汲み上げられ、シロップ配管３２を通じて前記カップ８に供給される。このシロップは、飲料水同様、シロップ配管３２のうち冷却水４１に漬かった部分３２ａを通過するときに冷却される。
【００２８】
以上説明した本発明の実施形態によれば、飲料提供装置は、氷を製造する製氷機２と、飲料用の水を冷却する冷却水４１を貯留する冷却水槽４と、製氷機２と冷却水槽４とに冷媒を供給する冷却装置５と、製氷機２と冷却水槽４と冷却装置５との間で冷媒を循環させる冷媒配管６ａ〜６ｅとを含んで構成され、製氷機２と冷却水槽４と冷却装置５と冷媒配管６とが取り外し不能に接続されているため、冷媒配管６に継ぎ手による接続部分が存在しない。したがって、冷媒として二酸化炭素等を使用することで、冷媒を圧縮した際の圧力が代替フロン等に比べて高い場合であっても、冷媒の漏れを防止することができる。また、高い圧力に耐えうる高価な継ぎ手が不要となるため、飲料提供装置を安価に製造することができる。
【００２９】
また、本実施形態によれば、製氷機２と冷却水槽４と冷却装置５とは、フレーム１に固定されて、１つのユニットとして一体とされているため、飲料提供装置の一部が故障した場合には、このユニットを丸ごと取り外して交換することができる。従来の二酸化炭素を冷媒とする高圧の冷却装置を使用した飲料提供装置においては、飲料提供装置が故障した場合には、飲料提供装置の設置現場にて溶接、機器の交換、冷媒の漏れ検査等の作業が必要であり、飲料の販売再開まで長時間を要したが、本実施形態によれば、故障した飲料提供装置と使用可能な新たな飲料提供装置とを交換するだけで飲料の販売を再開することができる。したがって、飲料の販売機会の損失を低減することができる。また、本実施形態によれば、飲料提供装置の設置現場に溶接等の専門的な免許を有する作業者を派遣する必要もなく便宜である。そして、故障のために交換した飲料提供装置は、設備の整った修理専門の場所に運搬し、安全、適切、十分な修理を行うことができる。
【００３０】
また、本実施形態によれば、製氷機２は、フレーム１の上方の位置（飲料提供装置の使用時における位置）とこの上方の位置よりも低い位置（飲料提供装置の運搬時における位置）との間で位置を変更可能なように固定されているため、飲料提供装置の全高を低くし、重心を下げることができる。これにより、飲料提供装置を立てたままコンパクトで安定した状態で運搬することができる。
【００３１】
飲料提供装置を横倒しの状態で運搬すると、液冷媒や潤滑油が圧縮機５１に流入し、飲料提供装置の使用時に、これらの液体を圧縮した圧縮機５１が破損するおそれがある。また、液冷媒や潤滑油が冷媒回路中に流出拡散し、修理の際に外部に漏れるおそれがある。このため、飲料提供装置（特に、圧縮機５１）は、立てた状態（図１に示すような立直状態）で運搬する必要があり、室内高の低い荷室の車両での運搬が困難であった。しかし、本実施形態による飲料提供装置であれば、そのような場合であっても容易に運搬することができる。なお、製氷機２は、フレーム１の上部に固定されているため、液冷媒や潤滑油が内部に留まらない。したがって、製氷機２を横倒しにしても、液冷媒や潤滑油の流出といった問題は生じない。
【００３２】
なお、本実施形態において、製氷機２は可倒式とされたが、例えば、製氷機２が直立した状態で、そのままフレーム１に対して昇降可能なように構成されてもよい。具体的には、天板１２（本発明における製氷機２が固定されたフレーム１の部分）が、支柱１１（本発明における製氷機２が固定されたフレーム１の他の部分）に垂直方向に昇降可能に取付けられてもよい。この場合、製氷機２を下降させる際には、シロップ貯留部３を取り除き、製氷機２と天板１２とが固定された状態で、両者を支柱１１に沿って下降させ、第１仕切り板１３の上方（又は第１仕切り板１３と接した状態）でストッパーにより固定する。もしくは、シロップ貯留部３と第１仕切り板１３とを取り除き、製氷機２（及び天板１２）を支柱１１に沿って下降させ、冷却水槽４の上方でストッパーにより固定する。これにより、製氷機２の位置を、フレーム１の上方の位置とそれよりも低い位置との間で変更可能にすることができる。
【００３３】
また、この飲料提供装置は、必要に応じて飲料水のかわりに炭酸水が提供されるようにしてもよいし、コーヒーや紅茶等の温かい飲料を提供する装置と併用してもよい。さらに、飲料提供用のカップ８を供給する装置を含んで構成されてもよい。
【符号の説明】
【００３４】
１…フレーム
２…製氷機
２１…貯氷部
２２…製氷部
３…シロップ貯留部
４…冷却水槽
５…冷却装置
５１…圧縮機
５２…凝縮器
５３…電動ファン
６…冷媒配管
６１…電磁弁
６２…膨張弁
【図１】
2014016087.tif 000003
【図２】
2014016087.tif 000004
【図３】
2014016087.tif 000005
【図４】
2014016087.tif 000006